(57)【要約】      （修正有）【課題】省電力効果（省エネ効果）を向上できる画像形成装置を提供する。【解決手段】エラー検出信号を保持するエラー検出信号ラッチ回路２０８と、エラー表示を行うエラー表示手段２１１と、前記エラー検出機能がエラー検出すると、前記エラー表示手段によりエラー表示を行い、エラーの種別を判別し、その判別されたエラー種別が軽エラーの場合には、そのエラー検出から所定時間を経過するまでの間にエラー解除操作がされたときには通常動作へ移行する一方、そのエラー検出から所定時間を経過してもエラー解除操作がされないときには前記エラー検出信号ラッチ回路および前記エラー表示手段以外の装置各要素への電源供給を停止するとともに、前記判別されたエラー種別が重大エラーの場合には、その時点で前記エラー検出信号ラッチ回路および前記エラー表示手段以外の装置各要素への電源供給を停止する電源制御手段を備えた。【選択図】図２
2009037101.tif 000002
【特許請求の範囲】
【請求項１】
装置各要素に生じたエラーを検出するエラー検出機能を備えた画像形成装置であって、
前記エラー検出機能により検出したエラー検出信号を保持するエラー検出信号ラッチ回路と、
前記エラー検出信号ラッチ回路の出力信号によりエラー表示を行うエラー表示手段と、
前記エラー検出機能がエラー検出すると、前記エラー表示手段によりエラー表示を行い、その検出されたエラーの種別を判別し、その判別されたエラー種別が軽エラーの場合には、そのエラー検出から所定時間を経過するまでの間にエラー解除操作がされたときには通常動作へ移行する一方、そのエラー検出から所定時間を経過してもエラー解除操作がされないときには前記エラー検出信号ラッチ回路および前記エラー表示手段以外の装置各要素への電源供給を停止するとともに、前記判別されたエラー種別が重大エラーの場合には、その時点で前記エラー検出信号ラッチ回路および前記エラー表示手段以外の装置各要素への電源供給を停止する電源制御手段を備えたことを特徴とする画像形成装置。
【請求項２】
装置各要素に生じたエラーを検出するエラー検出機能を備えた画像形成装置であって、
前記エラー検出機能により検出したエラー検出信号を保持するエラー検出信号ラッチ回路と、
前記エラー検出信号ラッチ回路の出力信号によりエラー表示を行うエラー表示手段と、
前記エラー検出機能により検出されたエラー種別を記憶する不揮発性記憶手段と、
前記エラー検出機能がエラー検出すると、前記エラー表示手段によりエラー表示を行い、検出されたエラーの内容を前記不揮発性記憶手段に記憶し、前記エラー検出信号ラッチ回路および前記エラー表示手段以外の装置各要素への電源供給を停止する電源制御手段を備えたことを特徴とする画像形成装置。
【請求項３】
装置各要素に生じたエラーを検出するエラー検出機能を備えた画像形成装置であって、
前記エラー検出機能により検出したエラー検出信号を保持するエラー検出信号ラッチ回路と、
前記エラー検出信号ラッチ回路の出力信号によりエラー表示を行うエラー表示手段と、
前記エラー検出機能により検出されたエラー種別を記憶する不揮発性記憶手段と、
前記エラー検出機能がエラー検出すると、前記エラー表示手段によりエラー表示を行い、その検出されたエラーの種別を判別し、その判別されたエラー種別に応じた所定時間を経過するまでの間にエラー解除操作がされたときには通常動作へ移行する一方、そのエラー検出から前記所定時間を経過してもエラー解除操作がされないときには、検出されたエラーの内容を前記不揮発性記憶手段に記憶し、前記エラー検出信号ラッチ回路および前記エラー表示手段以外の装置各要素への電源供給を停止する電源制御手段を備えたことを特徴とする画像形成装置。
【請求項４】
装置各要素に生じたエラーを検出するエラー検出機能を備えた画像形成装置であって、
前記エラー検出機能により検出したエラー検出信号を保持するエラー検出信号ラッチ回路と、
前記エラー検出信号ラッチ回路の出力信号によりエラー表示を行うエラー表示手段と、
前記エラー検出機能により検出されたエラー種別およびエラー検出時のジョブ情報を記憶する不揮発性記憶手段と、
処理中の画像データを記憶する画像データ記憶手段と、
前記エラー検出機能がエラー検出すると、前記エラー表示手段によりエラー表示を行い、その検出されたエラーの種別を判別し、その判別されたエラー種別に応じた所定時間を経過するまでの間にエラー解除操作がされたときには通常動作へ移行する一方、そのエラー検出から前記所定時間を経過してもエラー解除操作がされないときには、検出されたエラーの内容およびエラー検出時のジョブ情報を前記不揮発性記憶手段に記憶し、前記エラー検出信号ラッチ回路および前記エラー表示手段以外の装置各要素への電源供給を停止する電源制御手段を備え、
再起動時、前記不揮発性記憶手段に記憶されているジョブ情報に基づいて、前記画像データ記憶手段に記憶されている画像データを処理するジョブを再開することを特徴とする画像形成装置。
【発明の詳細な説明】
【技術分野】
【０００１】
本発明は、装置各要素に生じたエラーを検出するエラー検出機能を備えた画像形成装置に関する。
【背景技術】
【０００２】
従来、複写機等の画像形成装置では、装置がエラー状態になると、エラー情報を装置内の不揮発性メモリに書き込むと同時にメインＣＰＵ（中央制御装置）をオフして省エネモードに移行する。
【０００３】
また、装置内にはメインＣＰＵのほかにサブＣＰＵも搭載していて、省エネ移行時にはこのサブＣＰＵでＬＥＤ（発光ダイオード）などの点滅制御などを行い、ユーザーにエラー状態であることを知らせる。エラー状態になっても、省エネモードに移行することができ、消費電力の低減化をはかることができる。
【特許文献１】特願平７−１９６００４号公報
【発明の開示】
【発明が解決しようとする課題】
【０００４】
しかしながら、このような従来装置では、省エネモードに移行した場合でも、ＬＥＤなど表示装置の制御をサブＣＰＵを使用して制御しているので、あまり消費電力を減らすことができないという不具合を生じていた。
【０００５】
本発明は、かかる実情に鑑みてなされたものであり、省電力効果（省エネ効果）を向上できる画像形成装置を提供することを目的とする。
【課題を解決するための手段】
【０００６】
本発明は、装置各要素に生じたエラーを検出するエラー検出機能を備えた画像形成装置であって、前記エラー検出機能により検出したエラー検出信号を保持するエラー検出信号ラッチ回路と、前記エラー検出信号ラッチ回路の出力信号によりエラー表示を行うエラー表示手段と、前記エラー検出機能がエラー検出すると、前記エラー表示手段によりエラー表示を行い、その検出されたエラーの種別を判別し、その判別されたエラー種別が軽エラーの場合には、そのエラー検出から所定時間を経過するまでの間にエラー解除操作がされたときには通常動作へ移行する一方、そのエラー検出から所定時間を経過してもエラー解除操作がされないときには前記エラー検出信号ラッチ回路および前記エラー表示手段以外の装置各要素への電源供給を停止するとともに、前記判別されたエラー種別が重大エラーの場合には、その時点で前記エラー検出信号ラッチ回路および前記エラー表示手段以外の装置各要素への電源供給を停止する電源制御手段を備えたものである。
【０００７】
また、装置各要素に生じたエラーを検出するエラー検出機能を備えた画像形成装置であって、前記エラー検出機能により検出したエラー検出信号を保持するエラー検出信号ラッチ回路と、前記エラー検出信号ラッチ回路の出力信号によりエラー表示を行うエラー表示手段と、前記エラー検出機能により検出されたエラー種別を記憶する不揮発性記憶手段と、前記エラー検出機能がエラー検出すると、前記エラー表示手段によりエラー表示を行い、検出されたエラーの内容を前記不揮発性記憶手段に記憶し、前記エラー検出信号ラッチ回路および前記エラー表示手段以外の装置各要素への電源供給を停止する電源制御手段を備えたものである。
【０００８】
また、装置各要素に生じたエラーを検出するエラー検出機能を備えた画像形成装置であって、前記エラー検出機能により検出したエラー検出信号を保持するエラー検出信号ラッチ回路と、前記エラー検出信号ラッチ回路の出力信号によりエラー表示を行うエラー表示手段と、前記エラー検出機能により検出されたエラー種別を記憶する不揮発性記憶手段と、前記エラー検出機能がエラー検出すると、前記エラー表示手段によりエラー表示を行い、その検出されたエラーの種別を判別し、その判別されたエラー種別に応じた所定時間を経過するまでの間にエラー解除操作がされたときには通常動作へ移行する一方、そのエラー検出から前記所定時間を経過してもエラー解除操作がされないときには、検出されたエラーの内容を前記不揮発性記憶手段に記憶し、前記エラー検出信号ラッチ回路および前記エラー表示手段以外の装置各要素への電源供給を停止する電源制御手段を備えたものである。
【０００９】
また、装置各要素に生じたエラーを検出するエラー検出機能を備えた画像形成装置であって、前記エラー検出機能により検出したエラー検出信号を保持するエラー検出信号ラッチ回路と、前記エラー検出信号ラッチ回路の出力信号によりエラー表示を行うエラー表示手段と、前記エラー検出機能により検出されたエラー種別およびエラー検出時のジョブ情報を記憶する不揮発性記憶手段と、処理中の画像データを記憶する画像データ記憶手段と、前記エラー検出機能がエラー検出すると、前記エラー表示手段によりエラー表示を行い、その検出されたエラーの種別を判別し、その判別されたエラー種別に応じた所定時間を経過するまでの間にエラー解除操作がされたときには通常動作へ移行する一方、そのエラー検出から前記所定時間を経過してもエラー解除操作がされないときには、検出されたエラーの内容およびエラー検出時のジョブ情報を前記不揮発性記憶手段に記憶し、前記エラー検出信号ラッチ回路および前記エラー表示手段以外の装置各要素への電源供給を停止する電源制御手段を備え、再起動時、前記不揮発性記憶手段に記憶されているジョブ情報に基づいて、前記画像データ記憶手段に記憶されている画像データを処理するジョブを再開するようにしたものである。
【発明の効果】
【００１０】
したがって、本発明によれば、エラー表示手段の表示のためにサブＣＰＵなどの制御を必要としないので、エラー発生時の消費電力を削減することができ、装置の省エネ効果を向上することができるという効果を得る。
【発明を実施するための最良の形態】
【００１１】
以下、添付図面を参照しながら、本発明の実施の形態を詳細に説明する。
【００１２】
図１は、本発明の一実施例にかかる画像形成装置の構成例を示している。
【００１３】
同図において、自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。
【００１４】
また、この画像形成装置は、一枚の原稿を給送完了により原稿枚数をカウントアップするカウント機能を有している。
【００１５】
給送された原稿は読み取りユニット５０によってコンタクトガラス６上の原稿の画像データを読み取り後、読み取りが終了した原稿は、給送ベルト４および排送ローラ５によって排出される。
【００１６】
さらに、原稿セット検知７にて原稿台２に次の原稿が有ることを検知した場合、前原稿と同様にコンタクトガラス６上に給送される。
【００１７】
給送ローラ３、給送ベルト４、排送ローラ５は搬送モータ２６によって駆動される。
【００１８】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
【００１９】
読み取りユニット５０にて読み込まれた画像データは、書き込みユニット５７からのレーザーによって感光体１５に書き込まれ、現像ユニット２７を通過することによってトナー像が形成される。
【００２０】
そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２１】
後処理装置のフィニシャ１００は、本体の排紙ローラ１９によって搬送された転写紙を、通常、排紙ローラ１０２方向、あるいは、ステープル処理部方向へ導くことができる。
【００２２】
切り替え板１０１を上に切り替えることにより、搬送ローラ１０３を経由して通常排紙トレイ１０４側に排紙することができる。
【００２３】
また、切り替え板１０１を下方向に切り替えることで、搬送ローラ１０５，１０７を経由して、ステープル台１０８へ搬送することができる。
【００２４】
ステープル台１０８に積載された転写紙は、一枚排紙されるごとに紙揃え用のジョガー１０９によって、紙端面が揃えられ、一部のコピー完了とともにステープラ１０６によって綴じられる。ステープラ１０６で綴じられた転写紙群は自重によって、ステープル完了排紙トレイ１１０に収納される。
【００２５】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００２６】
転写紙の両面に画像を作像する場合は、各給紙トレイ８〜１０から給紙され作像された転写紙を排紙トレイ１０４側に導かないで、経路切り替えの為の分岐爪１１２を上側にセットすることで、一旦、両面給紙ユニット１１１にストックする。
【００２７】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。
【００２８】
この様に転写紙の両面に画像を作成する場合に両面給紙ユニット１１１は使用される。また、画像の載った転写紙の裏面に印字を行なう際にも両面給紙ユニット１１１を用いて転写紙の裏表を変える。
【００２９】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００３０】
図２は、本発明の一実施例にかかる画像形成装置の制御系の要部の構成を例示している。
【００３１】
同図において、制御部２０１は、装置全体の制御をおこなうものであり、ＣＰＵ回路部２０２とＩＯ回路部２０６から構成されている。ＣＰＵ回路部２０２は、ＩＯ回路部２０６から入力された信号を処理し、再びＩＯ回路部２０６へ信号をフィードバックするＣＰＵ２０３と、装置制御に必要なプログラムなどを格納しているＲＯＭ２０４と、ＣＰＵ２０３での処理情報などを一時的に格納しているＲＡＭ２０５から構成されている。
【００３２】
ＩＯ回路部２０６は、制御部２０１に入出力する各種信号を外部の装置要素や回路要素との間でやりとりするためのものであり、ＩＯポートやＡＤポートなどを備えていて、ＣＰＵ２０３とＩＯ情報をやり取りしているＩＯ制御用ＡＳＩＣ（集積回路）２０７を備えている。
【００３３】
また、エラーラッチ回路（エラー検出信号ラッチ回路）２０８は、エラーが発生するとその情報を解除信号が来るまで保持しておくためのものであり、エラー検出回路２０９は、装置内でエラーが発生していないかを監視するためのものであり、表示素子２１１は、装置のエラー発生状況をユーザーに知らせるためのエラー表示手段を構成するものである。
【００３４】
ＰＳＵ（Ｐｏｗｅｒ  Ｓｕｐｐｌｙ  Ｕｎｉｔ）２２０は、装置内の電気部品に電力を供給するためのものであり、出力電圧としてＶｃｃ（Ａ）２１２、Ｖｃｃ（Ｂ）２１３、Ｖｃｃ（Ｃ）２１４、Ｖｃｃ（Ｄ）２１５を備えており、制御部２０１より加えられるパワーコントロール信号２２１により、これらの出力電圧をそれぞれオンオフする。また、Ｖｃｃ（Ａ）２１２は制御部２０１へ供給され、Ｖｃｃ（Ｂ）２１３はエラー検出信号２０９へ供給され、Ｖｃｃ（Ｃ）２１４はエラーラッチ回路２０８へ供給され、Ｖｃｃ（Ｄ）２１５は表示素子２１１へ供給される。
【００３５】
図３は、画像形成装置におけるエラー検出時の電源制御処理の一例を示している。
【００３６】
まず、エラー検出回路２０９がエラー検出するまで、通常動作処理を行っている（ステップＳ１０１，Ｓ１０２のループ）。
【００３７】
そして、エラー検出回路２０９がエラー検出してステップＳ１０２の結果がＹＥＳになると、エラーラッチ回路２０８にエラー検出信号を保持させて、表示素子２１１を点灯表示させる（ステップＳ１０３）。
【００３８】
次いで、エラー検出回路２０９が検出したエラー検出信号から、発生したエラーの種別を判別する。ここでは、ユーザ自身で解除できずサービスマンを呼ばないと解除できないようなエラーである「重大エラー」であるか、それ以外の「軽微なエラー（軽エラー）」であるかを判別する（ステップＳ１０４）。ここで、「軽エラー」とは、トナー切れ、用紙切れ、異常動作のようなエラーをである。
【００３９】
発生したエラー種別が軽エラーの場合には、タイマカウントを開始し、このタイマのカウント値が予め設定されている設定時間に達する前に、ユーザによるエラー解除操作がなされたかどうかを監視する（ステップＳ１０５〜Ｓ１０７）。ユーザによるエラー解除操作がされた場合で、ステップＳ１０６の結果がＹＥＳになるときには、ステップＳ１０１へ戻り、通常動作処理を行う。
【００４０】
一方、ステップＳ１０５で起動したタイマのカウント値が設定時間に達した場合で、ステップＳ１０７の結果がＹＥＳになるときには、パワーコントロール信号２２１により、ＰＳＵ２２０から出力されているＶｃｃ（Ａ）２１２とＶｃｃ（Ｂ）２１３の出力を停止して、制御部２０１とエラー検出回路２０９を電源オフする（ステップＳ１０８）。
【００４１】
この状態では、ＰＳＵ２０２からは、Ｖｃｃ（Ｃ）２１４とＶｃｃ（Ｄ）２１５が出力されているので、エラーラッチ回路２０８と表示素子２１１の動作が継続され、ユーザに、エラー発生を通知することができる。
【００４２】
また、発生したエラー種別が重大エラーと判定された場合には、ユーザが解除操作を行うことができないので、その時点でステップＳ１０８へ移行する。
【００４３】
このようにして、本実施例では、エラー検出時、発生したエラーが軽エラーの場合には、ユーザの解除操作を待ち、解除操作がされた場合には、通常の処理動作へ戻る。また、ユーザが不在だった場合などでユーザの解除操作がされなかった場合には、エラー表示に必要な電源以外の電源の供給を停止し、省電力動作状態へと移行する。それとともに、発生したエラーが重大エラーの場合には、即、省電力状態へと移行する。
【００４４】
この省電力状態では、エラー検出信号を保持するエラーラッチ回路２０８と表示素子２１１のみに電源が供給されるので、エラー検出時に移行した省電力状態での消費電力は、非常に小さいものとなり、省エネ効果が高い。
【００４５】
図４は、表示素子２１１の構成の一例を示している。
【００４６】
この場合、表示素子２１１として、発光ダイオードＬ１を用いている。また、発光ダイオードＬ１を点灯駆動するためのＬＥＤ駆動回路ＤＤ１を備えている。ＬＥＤ駆動回路ＤＤ１は、Ｖｃｃ（Ｄ）２１５を発光ダイオードＬ１へ供給するためのスイッチングトランジスタＱ１、電流制限用の抵抗Ｒ１、および、エラーラッチ回路２０８の出力信号をスイッチングトランジスタＱ１のベースへ入力するための抵抗Ｒ２からなる。
【００４７】
図５は、表示素子２１１の他の構成例を示している。
【００４８】
この場合、表示素子２１１としてＥＬ（Ｅｌｅｃｔｒｏ  Ｌｕｍｉｎｅｓｃｅｎｃｅ）Ｌ２を用いている。また、ＥＬ＿Ｌ２を駆動するためのインバータ回路ＤＤ２を備えている。このインバータ回路ＤＤ２は、Ｖｃｃ（Ｄ）２１５を用いて、ＥＬ＿Ｌ２の点灯駆動に必要な交流電源を形成するものであり、エラーラッチ回路２０８の出力信号に応じてオンオフされる。
【００４９】
図６は、エラーラッチ回路２０８の構成例を示している。
【００５０】
このエラーラッチ回路２０８は、２つのナンド回路ＮＤ１，ＮＤ２を用いて構成したフリップフロップ回路からなり、ＩＯ制御回路部より出力される光素子制御信号（エラー検出信号）を、ラッチリセット信号の立上りタイミングで保持するものである。また、Ｖｃｃ（Ｃ）２１４により駆動される。
【００５１】
図７は、本発明の他の実施例にかかる画像形成装置の制御系の要部の構成を例示している。
【００５２】
同図において、制御部３０１は、コントローラ３５０と、エンジン制御回路部３０２と、ＩＯ回路部３０８から構成されている。
【００５３】
コントローラ３５０は、ＣＰＵ３５１と、ＲＯＭ３５２と、ＲＡＭ３５３と、ＮＶＲＡＭ３５４とタイマカウンタ３０７から構成されている。ＣＰＵ３５１、ＲＯＭ３５２、ＲＡＭ３５３、ＮＶＲＡＭ３５４はそれぞれがバスで繋がれており、互いにデータのやりとりを行っている。また、ここでは、タイマカウンタ３０７はＣＰＵ３５１とは別に書いてあるが、ＣＰＵ３５１の種類によっては、タイマカウンタ３０７の機能を内蔵しているものもある。
【００５４】
エンジン制御回路部３０２は、ＣＰＵ３０３と、ＲＯＭ３０４と、ＮＶＲＡＭ３０６からなっており、それぞれがバスで繋がれており、互いにデータのやりとりを行っている。
【００５５】
ＩＯ回路部３０８は、ＩＯ制御用ＡＳＩＣ３０９を搭載しており、このＩＯ制御用ＡＳＩＣ３０９に、この図では図示しない様々な入出力要素（たとえばセンサ信号、モータ制御信号、アナログ信号など）の信号が接続されている。また、ＩＯ回路部３０８はエンジン制御回路部３０２と接続されており、入出力関係の信号をやりとりして、装置の動作を司っている。また、コントローラ３５０とエンジン制御回路３０２も接続されており、システムとしての装置を司っている。
【００５６】
ＰＳＵ３３０は、装置への電源供給を行うユニットである。ここでは、Ｖｃｃ（Ａ）〜Ｖｃｃ（Ｅ）までの５種類の電源を持っているとして説明するが、実際には何個でもいい。この場合、Ｖｃｃ（Ａ）３４０はエンジン制御回路部３０２の電源であり、Ｖｃｃ（Ｂ）３４１はエラー検出回路３２２の電源であり、Ｖｃｃ（Ｃ）３４２はエラーラッチ回路３２０の電源であり、Ｖｃｃ（Ｄ）３４３は表示素子３２１の電源であり、Ｖｃｃ（Ｅ）はコントローラ３５０の電源として、それぞれ各要素へ供給されている。
【００５７】
また、コントローラ３５０には、省エネ解除トリガ３３２が接続されて、これは省エネ状態から装置を復帰させるための信号である。通常、省エネ状態とは最低限必要な電源のみをオンにしていることであり、一般的にはコントローラ３５０にのみ電源供給をしている。コントローラは省エネ解除トリガ３３２をうけて、ＰＳＵ３３０への省エネ解除信号３３１を出力する。ＰＳＵ３３０はこの信号により、省エネ状態でオフ（遮断）になっていた電源をオン（供給）する。
【００５８】
また、エラーラッチ回路（エラー検出信号ラッチ回路）３２０は、エラーが発生するとその情報を解除信号が来るまで保持しておくためのものであり、エラー検出回路３２２は、装置内でエラーが発生していないかを監視するためのものであり、表示素子３２１は、装置のエラー発生状況をユーザーに知らせるためのエラー表示手段を構成するものである。
【００５９】
なお、エラーラッチ回路３２０は、図６に示したものと同じものを適用することができる。また、表示素子３２１は、図４，５に示したものと同じものを適用することができる。
【００６０】
図８は、この場合のエラー発生時の処理の一例を示している。
【００６１】
画像形成動作中に、エラー検出回路３２２がエラーを検出するまで、通常動作を行う（ステップＳ２０１，Ｓ２０２）。エラー検出回路３２２がエラーを検出して、ステップＳ２０２の結果がＹＥＳになると、ＣＰＵ３０３は、ＩＯ制御用ＡＳＩＣ３０９にエラーラッチ回路３２０をオンするような命令を出す（ステップＳ２０３）。それにより、ＩＯ制御用ＡＳＩＣ３０９はエラーラッチ回路３２０へエラー検出信号を出力し、エラーラッチ回路３２０は、そのエラー検出信号を保持する。
【００６２】
その結果、エラーラッチ回路３２０から出力される信号により、表示素子３２１が点灯される（ステップＳ２０４）。
【００６３】
そして、ＣＰＵ３０３はエラー内容をＮＶＲＡＭ３０６（またはＮＶＲＡＭ３５４）に書き込む（ステップＳ２０５）。なお、ＮＶＲＡＭ３０６，３５４は、不揮発性ＲＡＭなので、エンジン制御回路部３０２やコントローラ３５０への電源供給を停止しても記憶したデータを保持することができる。
【００６４】
この状態で、コントローラ３５０が省エネ解除信号をオフすることで、Ｖｃｃ（Ａ）３４０、Ｖｃｃ（Ｂ）３４１の電源がオフし、エンジン制御回路部３０２と、ＩＯ回路部３０８と、エラー検出回路３２２の動作が停止し、省エネモード状態となる（ステップＳ１０６）。
【００６５】
このとき、エラーラッチ回路３２０の電源Ｖｃｃ（Ｃ）３４２と、表示素子３２１の電源Ｖｃｃ（Ｄ）３４３は出力したままなので、エラーラッチ回路３２０と表示素子３２１はオンしたままである。
【００６６】
すなわち、省エネモード状態でもユーザーにエラー発生があったことを知らせることができる。そして、その表示素子３２１のエラー表示出力を見たユーザーがエラー発生に気付き、省エネ解除ボタンなどを押すなどの行動をすると、省エネ解除トリガ３３２がコントローラ３５０へ入力され、コントローラ３５０はＰＳＵ３３０へ省エネ解除信号３３１を出力する。
【００６７】
すると、ＰＳＵ３３０はオフにしていた電源をオンし、それにより、この画像形成装置は通常状態へと立ち上がる。この立ち上がる際に、ＣＰＵ３０３，３５１がエラー内容が記憶されたＮＶＲＡＭ３０６，３５４へアクセスを行うことで、エラー内容を把握し、操作部にエラー内容詳細、エラー解除方法を表示させることができる。
【００６８】
図９は、エラー発生時の処理の他の例を示している。
【００６９】
まず、エラー検出回路３２２９がエラー検出するまで、通常動作処理を行っている（ステップＳ３０１，Ｓ３０２のループ）。
【００７０】
そして、エラー検出回路３２２がエラー検出してステップＳ３０２の結果がＹＥＳになると、エラーラッチ回路３２０にエラー検出信号を保持させて、表示素子３２１を点灯表示させる（ステップＳ３０３）。
【００７１】
次いで、エラー検出回路３２２が検出したエラー検出信号から、発生したエラーの種別を判別する（ステップＳ３０４）。例えば、紙詰まり（種別Ａ）、読取系エラー（種別Ｂ）、定着系エラー（種別Ｃ）など。
【００７２】
そして、エラー種別に応じた省エネ移行時間を設定時間にセットし（ステップＳ３０５）、タイマカウントを開始する（ステップＳ３０６）。例えば、上述したようにエラー種別を３つに分類した場合、それぞれの種別毎に設定時間を定めておく。このとき、エラー種別のエラーの程度が大きいほど、設定時間を短くして、より早い時期に省エネ状態へ移行できるようにすると良い。
【００７３】
次いで、ステップＳ３０６で開始したタイマのカウント値が、ステップＳ３０５で設定した設定時間に達する前に、ユーザによるエラー解除操作がなされたかどうかを監視する（ステップＳ３０７，Ｓ３０８）。ユーザによるエラー解除操作がされた場合で、ステップＳ３０７の結果がＹＥＳになるときには、ステップＳ３０１へ戻り、通常動作処理を行う。
【００７４】
一方、ステップＳ３０６で起動したタイマのカウント値が設定時間に達した場合で、ステップＳ３０８の結果がＹＥＳになるときには、ＣＰＵ３０３はエラー内容をＮＶＲＡＭ３０６（またはＮＶＲＡＭ３５４）に書き込む（ステップＳ３０９）。
【００７５】
この状態で、コントローラ３５０が省エネ解除信号をオフすることで、Ｖｃｃ（Ａ）３４０、Ｖｃｃ（Ｂ）３４１の電源がオフし、エンジン制御回路部３０２と、ＩＯ回路部３０８と、エラー検出回路３２２の動作が停止し、省エネモード状態となる（ステップＳ３１０）。
【００７６】
このようにして、発生したエラー種別に応じて、エラー発生時の省エネ移行時間を変えているので、効率の良い省エネモードを実現することができる。
【００７７】
図１０は、本発明のさらに他の実施例にかかる画像形成装置の構成例を示している。なお、同図において、図７と同一部分および相当する部分には、同一符号を付して、その説明を省略する。
【００７８】
この場合、複写ジョブの画像データを蓄積する磁気ディスク装置３１１とそれを動作制御するための磁気ディスク装置コントローラ３１０、種々の画像処理を行うための画像処理部３１２、画像処理部３１２が処理する画像データを保存するための画像データ用ＲＡＭ３１３、画像データを読み取るための読取部３１４、および、画像を転写紙に書き込むための書込部３１５を備えている。
【００７９】
通常、読取部３１４で読み取られた画像データは画像処理部３１２に送られ、そのまま書込部３１５へ送られる。この構成だと、すでに転写紙に形成しおわった画像データは、画像処理部３１２及び画像データ用ＲＡＭ３１３から消去されており、エラー発生の際、ジョブを最初からやり直すことができない。
【００８０】
そこで、読み取った画像は全て一時的に磁気ディスク装置３１１に保存しておくようにする。そうすることで、エラー発生の際に、それまで読み取っていた画像データは磁気ディスク装置３１１に保存されていることになり、省エネモードから復帰した時に、磁気ディスク装置３１１にアクセスすればエラー発生時の画像データを呼び出すことができる。
【００８１】
また、この磁気ディスク装置３１１に一時的に保存しておくデータは、そのジョブが終われば必要なくなるので、適当なタイミングで消去すればよい。
【００８２】
図１１は、エラー解除後、エラー間のジョブを再開するか、または初期化するかを選択する場合の処理の一例を示している。
【００８３】
まず、ユーザーが省エネ解除動作を行うことで装置が省エネ状態から復帰する。そしてエラー解除されたかどうかを判断する（ステップＳ４０１）。
【００８４】
エラー解除されない場合（ステップＳ４０１の結果がＮＯ）には、その状態を保持しエラー解除されるまで待つ（または、ここでまた省エネ移行時間を設定して一定時間、エラーが解除されないようなら再び、省エネモードに移行してもよい）。
【００８５】
エラーが解除された場合（ステップＳ４０１の結果がＹＥＳ）には、操作部上にエラー発生時のジョブを再開させるか、設定を初期化するかどちらか選択できるような表示を行い、ジョブ再開が選択された場合にはジョブ再開を行う。設定初期化が選ばれた場合には設定の初期化を行う。
【図面の簡単な説明】
【００８６】
【図１】本発明の一実施例にかかる画像形成装置の構成例を示した概略構成図。
【図２】本発明の一実施例にかかる画像形成装置の制御系の要部の構成を例示したブロック図。
【図３】画像形成装置におけるエラー検出時の電源制御処理の一例を示したフローチャート。
【図４】表示素子２１１の構成の一例を示したブロック図。
【図５】表示素子２１１の他の構成例を示したブロック図。
【図６】エラーラッチ回路２０８の構成例を示したブロック図。
【図７】本発明の他の実施例にかかる画像形成装置の制御系の要部の構成を例示したブロック図。
【図８】エラー発生時の処理の一例を示したフローチャート。
【図９】エラー発生時の処理の他の例を示ししたフローチャート。
【図１０】本発明のさらに他の実施例にかかる画像形成装置の構成例を示したブロック図。
【図１１】エラー解除後、エラー間のジョブを再開するか、または初期化するかを選択する場合の処理の一例を示したフローチャート。
【符号の説明】
【００８７】
２０１，３０１  制御部
２０８，３２０  エラーラッチ回路
２１１，３２１  表示素子
【図１】
2009037101.tif 000003
【図２】
2009037101.tif 000004
【図３】
2009037101.tif 000005
【図４】
2009037101.tif 000006
【図５】
2009037101.tif 000007
【図６】
2009037101.tif 000008
【図７】
2009037101.tif 000009
【図８】
2009037101.tif 000010
【図９】
2009037101.tif 000011
【図１０】
2009037101.tif 000012
【図１１】
2009037101.tif 000013